(57)【要約】      （修正有）【課題】放射線レベルを検出するように構成される光検出器、放射線レベルを処理するように構成されるプロセッサ、処理がされた放射線レベルをネットワークに送信するように構成される無線インターフェース、を備えた放射線検出システムを提供する。【解決手段】放射線値を決定する方法であって、新たな放射線イベントデータを受信し、以前に受信した放射線イベントデータの記録の間で、新たな放射線イベントデータの記録を維持し、ユーザー設定の平均値放射線レベルを、放射線イベントデータに基づいて算出し、受信した新たな放射線イベントデータの記録および以前に受信した放射線イベントデータの記録を基礎として、放射線レベルを算出し、および放射線レベルおよびユーザー設定の平均値放射線レベルを出力すること、を特徴とする放射線の値を決定する方法。【選択図】図２
2013152226.tif 000002
【特許請求の範囲】
【請求項１】
放射線検出装置であって、
放射線レベルを検出するように構成される光検出器、；
放射線レベルを処理するように構成され、処理がカルマンフィルタおよび移動平均フィルタのうち１以上を含むプロセッサ、および
処理された放射線レベルをネットワークに送信するように構成される無線インターフェース、
を備えたこと、を特徴とする放射線検出装置。
【請求項２】
請求項１の放射線検出装置において、
プロセッサは、しきい値を超えた放射線レベルに応じて、無線インターフェース通信装置を経由してトリガーを送信するように構成されること、
を特徴とする放射線検出装置。
【請求項３】
請求項１の放射線検出装置において、
放射線は、少なくとも１つのガンマ線イベント、ベータ線イベント、およびエックス線イベントを備えること、
を特徴とする放射線検出装置。
【請求項４】
請求項１の放射線検出装置において、
さらに、プロセッサを有効および無効にすることが可能なように構成されたスイッチを備えること、
を特徴とする放射線検出装置。
【請求項５】
請求項１の放射線検出装置において、さらに、
プロセッサに接続された警告発生器を備え、
プロセッサが、しきい値を超えた放射線レベルに応じて、警告を生成すること、
を特徴とする放射線検出装置。
【請求項６】
請求項１の放射線検出装置において、さらに、
プロセッサに接続されたディスプレイ装置を備えること、
を特徴とする放射線検出装置。
【請求項７】
請求項１の放射線検出装置において、
光検出器が、さらに、少なくとも液体、食料品、乗り物のいずれか内において、または高地で、複数の放射線イベントを検出するように構成されること、
を特徴とする放射線検出装置。
【請求項８】
請求項１の放射線検出装置において、
光検出器が、固体センサーを備えること、
を特徴とする放射線検出装置。
【請求項９】
請求項８の放射線検出装置において、
固体センサーが、さらに、放射線検出センサーの配列を備えること、
を特徴とする放射線検出装置。
【請求項１０】
請求項１の放射線検出装置において、さらに、
地理的位置探知器を備えたこと、
を特徴とする放射線検出装置。
【請求項１１】
請求項１０の放射線検出装置において、
地理的位置探知器が、全地球位置発見システム（ＧＰＳ）に基づく人工衛星、およびレシーバー三角測量システムのうち少なくとも１つを備えること、
を特徴とする放射線検出装置。
【請求項１２】
放射線検出装置であって、
放射線レベルを検出するように構成される光検出器であって、定格電圧を有する電圧入力を備える光検出器；および
光検出器の電圧入力に定格電圧を超える電圧を印加するように構成される電源、
を備えたこと、を特徴とする放射線検出装置。
【請求項１３】
請求項１２の放射線検出装置において、
印加される電圧が７０ボルトであり、定格電圧が５０ボルトであること、
を特徴とする放射線検出装置。
【請求項１４】
請求項１２の放射線検出装置において、
印加される電圧が７０ボルトであり、定格電圧が５０ボルトであること、
を特徴とする放射線検出装置。
【請求項１５】
請求項１２の放射線検出装置において、
印加される電圧が、定格電圧を超えたときに、検出された放射線の信号対ノイズ比が増加すること、
を特徴とする放射線検出装置。
【請求項１６】
放射線検出装置であって、
放射線レベルを検出するように構成される光検出器；および
フィルタを備えるプロセッサであって、フィルタを用いて検出された放射線レベルを処理するプロセッサ、
を備えたこと、を特徴とする放射線検出装置。
【請求項１７】
請求項１６の放射線検出装置において、
フィルタが、カルマンフィルタを備えること、
を特徴とする放射線検出装置。
【請求項１８】
請求項１６の放射線検出装置において、
フィルタが、移動平均フィルタを備えること、
を特徴とする放射線検出装置。
【請求項１９】
請求項１６の放射線検出装置において、
フィルタが、カルマンフィルタおよび移動平均フィルタを備えること、
を特徴とする放射線検出装置。
【請求項２０】
請求項１６の放射線検出装置において、
プロセッサが、さらに、しきい値放射線レベルに基づいて、前記フィルタの１つを選択するように構成されること、
を特徴とする放射線検出装置。
【請求項２１】
請求項１６の放射線検出装置において、
プロセッサが、さらに、選択されたフィルタの１つからの出力に応じて、検出された放射線レベルに対応する出力を供給するように構成されるユーザー設定フィルタを備えたこと、
を特徴とする放射線検出装置。
【請求項２２】
放射線検出装置であって、
放射線レベルを検出するように構成される光検出器であって、電圧入力を有する光検出器；
光検出器をサポートするハウジングであって、取り外し可能にＡＣ壁ソケットに接続できるように構成されたＡＣ電源プラグをさらに備えるハウジング、
ＡＣ電源プラグがＡＣ壁ソケットに接続されたときに、光検出器の電圧入力に電圧を印加するように構成されるコンバータ、
を備えたこと、を特徴とする放射線検出装置。
【請求項２３】
請求項２２の放射線検出装置において、さらに、
地理的位置探知器を備えたこと、
を特徴とする放射線検出装置。
【請求項２４】
請求項２３の放射線検出装置において、
地理的位置探知器が、全地球位置発見システム（ＧＰＳ）に基づく人工衛星、およびレシーバー三角測量システムのうち少なくとも１つを備えること、
を特徴とする放射線検出装置。
【請求項２５】
放射線の値を決定する方法であって、
新たな放射線イベントデータを受信し、
以前に受信した放射線イベントデータの記録の間で、新たな放射線イベントデータの記録を維持し、；
ユーザー設定の平均値放射線レベルを、放射線イベントデータに基づいて算出し、；
受信した新たな放射線イベントデータの記録および以前に受信した放射線イベントデータの記録を基礎として、放射線レベルを算出し、；および
放射線レベルおよびユーザー設定の平均値放射線レベルを出力すること、
を特徴とする方法。
【請求項２６】
請求項２５の方法において、さらに、
カルマンフィルタ計算値および移動平均計算値を用いて、受信した新たな放射線イベントデータの記録および以前に受信した放射線イベントデータの記録を基礎として、放射線レベルを算出し、； 
放射線レベル移動平均値が、しきい値範囲を外れているか否かを判定し、
カルマンフィルタ計算放射線値を選択し、；および
ことを特徴とする方法。
【請求項２７】
放射線検出装置であって、
放射線レベルを検出するための手段、
カルマンフィルタおよび移動平均フィルタのうち１以上を用いて放射線レベルを処理するための手段、および
処理された放射線レベルをネットワークに無線で送信するための手段、
を備えたこと、を特徴とする放射線検出装置。
【請求項２８】
放射線検出装置であって、
定格電圧を有する電圧入力を備え、放射線レベルを検出する手段；および
印加した電圧が定格電圧を超えるように、放射線レベル検出手段の電圧入力に電圧を印加する手段、
を備えたこと、を特徴とする放射線検出装置。
【請求項２９】
放射線検出装置であって、
放射線レベルを検出する手段、および
カルマンフィルタおよび移動平均フィルタのうち１以上を含むフィルタを備え、プロセッサがフィルタを用いて検出した放射線レベルを処理するように構成された処理手段、
を備えたこと、を特徴とする放射線検出装置。
【請求項３０】
プロセッサによって実行された時に以下の方法を実行するためのプログラム命令を備えるコンピュータ可読の記録媒体、
光検出器から放射線レベルを記述した信号を受け、
放射線レベルを算出するために、カルマンフィルタおよび移動平均フィルタのうち１以上を含む処理を信号に行い、
プロセッサに接続された無線通信インターフェースを介して、処理された放射線レベルをネットワークに送信する。
【発明の詳細な説明】
【技術分野】
【０００１】
この出願は、米国仮特許出願番号61/582,772、２０１２年１月３日に提出された題名“放射線センサシステム”の利益を要求しており、ここで言及することにより、全体が明示的に取り込まれる。
【０００２】
本開示は、放射線検出装置に関するものである。より具体的には、電磁気的および／または粒子の放射線検出装置に関する。
【背景技術】
【０００３】
現在は、固体センサを含めた様々な放射線センサが入手できる。ガスではなく、シリコンのような材料が用いられる以外は比例計数管と同じである、入射放射線を電流に直接的に変換する半導体が存在する。他の一般的な材料は、ゲルマニウム、テルル化カドミウム亜鉛などである。
【０００４】
半導体放射線センサは、イオン化した放射線粒子がそれを横切った時に、電流パルスを発するｐｎ結合から成っている。他のデバイスとして、イオン化した放射線の吸収により、半導体材料のブロック内に荷電粒子の対（電子およびホールと呼ばれる電子不足の場所）が生成され；ブロックの正対する面の間に維持される電圧の影響下におけるこれらキャリアの移動が、電流パルスの構成要素となるものもある。このようにして生成されたパルスは、入射荷電粒子のエネルギー、番号、または正体を判断するために、増幅され、記録され、および分析される。これらの検出器の感度は、これらを低い温度で動作させることによって増加する。―通常は、液体窒素の場合、−１６４℃（華氏−２６３度）―であれば、熱振動による荷電粒子のランダム形成は抑制される。
【０００５】
放射化学を統合した流量監視（寿命の短い同位元素を伴った放射性トレーサーを用いた核医学における診断法など）、排気流出物の監視、核医学上の違法な輸送および場所、放射性物質の汚染爆弾、および兵器用核分裂物質の安全性監視および検知などへの応用がなされている。
【０００６】
このようなセンサの主な利点は、それらの極めて高いエネルギー分解能である。すなわち、これらは入射放射線のエネルギーを正確に特定することに適している。ベータ線（電子）、エックス線、およびガンマ放射線（光子）の検出に取り込んで多く応用されることで、信号出力及びノイズに関する性能が一般的なガイガー計数管を上回ることもできる。その検出器はかなり高価であり、関連する電子機器を要求されるため、欠点はコストである。技術的に低価格の放射線センサが必要とされている。また、使用時の温度において、消費電力が低いものが、より好まれている。
【発明の概要】
【課題を解決するための手段】
【０００７】
開示のある側面において、放射線検出装置は、放射線レベルを検出するように構成される光検出器、放射線レベルを処理するように構成され、処理がカルマンフィルタおよび移動平均フィルタのうち１以上を含むプロセッサ、および処理された放射線レベルをネットワークに送信するように構成される無線インターフェースを備える。
【０００８】
開示のある側面において、放射線検出装置は、放射線レベルを検出するように構成される光検出器であって、定格電圧を有する電圧入力を備える光検出器、および光検出器の電圧入力に定格電圧を超える電圧を印加するように構成される電源を備える。
【０００９】
開示のある側面において、放射線検出装置は、放射線レベルを検出するように構成される光検出器であって、電圧入力を有する光検出器、光検出器をサポートするハウジングであって、取り外し可能にＡＣ壁ソケットに接続できるように構成されたＡＣ電源プラグをさらに備えるハウジング、ＡＣ電源プラグがＡＣ壁ソケットに接続されたときに、光検出器の電圧入力に電圧を印加するように構成されるコンバータを備える。
【００１０】
開示のある側面において、放射線の値を決定する方法は、新たな放射線イベントデータを受信し、以前に受信した放射線イベントデータの記録の間で、新たな放射線イベントデータの記録を維持し、ユーザー設定の平均値放射線レベルを、放射線イベントデータに基づいて算出し、受信した新たな放射線イベントデータの記録および以前に受信した放射線イベントデータの記録を基礎として、放射線レベルを算出し、および放射線レベルおよびユーザー設定の平均値放射線レベルを出力する。
【００１１】
開示のある側面において、放射線検出装置は、放射線レベルを検出するための手段、カルマンフィルタおよび移動平均フィルタのうち１以上を用いて放射線レベルを処理するための手段、および処理された放射線レベルをネットワークに無線で送信するための手段、を備える。
【００１２】
開示のある側面において、放射線検出装置は、放射線レベルを検出するための手段、およびカルマンフィルタおよび移動平均フィルタのうち１以上を含むフィルタを備え、プロセッサがフィルタを用いて検出した放射線レベルを処理するように構成された処理手段、を備える。
【００１３】
開示のある側面において、コンピュータ可読の記録媒体は、プロセッサによって実行された時に、光検出器から放射線レベルを記述した信号を受け、放射線レベルを算出するために、カルマンフィルタおよび移動平均フィルタのうち１以上を含む処理を信号に行い、プロセッサに接続された無線通信インターフェースを介して、処理された放射線レベルをネットワークに送信する方法を実行するためのプログラム命令を備える。
【図面の簡単な説明】
【００１４】
【図１】ある実施形態において、放射線検出システムの例を示す図である。
【００１５】
【図２】図１の放射線検出システムに用いられる放射線プロセッサの例を入力および出力と共に示す図である。
【００１６】
【図３】ある実施形態において、放射線検出システムを支持する筐体の例を示す図である。
【００１７】
【図４】ある実施形態において、出力選択処理の方法を示すフローチャートである。
【００１８】
【図５】ある実施形態において、放射線検出システムの実施形態で用いるために構成されたユーザインターフェース例を示す図である。
【００１９】
【図６】ある実施形態において、放射線測定値と共に局所エリアマップを示す図である。
【００２０】
【図７】ある実施形態において、放射線測定値と共に世界エリアマップを示す図である。
【発明を実施するための形態】
【００２１】
ガイガー・カウンター、粒子検出器、光検出器といった放射線検出器に関して、様々な概念がここで提示されるだろう。しかしながら、当業者であれば容易に理解できるように、粒子およびエネルギーの由来や特性にかかわらず、これらの概念は、粒子またはエネルギーを検知する他の機器に拡張することができる。例として、この開示を通して提示される様々な概念が、カメラ、レーダー、検出器、人工眼、医療機器（ＣＴスキャナー）、または粒子および／またはエネルギーを検出することが要求される他の適切なシステムに拡張することができる。結果として、これらの概念の応用範囲が広いという理解の下で、特定の検出器に対する何れかの言及は、この開示の様々な側面を説明することだけを意図している。
【００２２】
図１は、放射線検出システム１００の例を示す図である。図１に示す実施例において、放射線検出システムは、光検出器１０５、電力変換モジュール１１０、電力源１２０、増幅器１３０、およびプロセッサ１４０を備えている。光検出器１０５は、開示の様々な形態に応じて変形してもよい。実例として、光検出器１０５は、アナログまたはデジタル回路を備えてもよく；光検出器１０５は、固体光検出器を備えてもよい。光検出器は、固体放射線検出器の配列を備えてもよい。配列は、碁盤の目状に画一化して配置してもよい。携帯用のバッテリーによって、またはＡ／Ｃ壁ソケットのような固定された電力源からシステムが電力を受けてもよい。光検出器１０５は、例えば、セシウム１３７（Ｃｓ１３７）、またはヨウ素１２５（Ｉ１２５）、またはコバルト６０（Ｃｏ６０）、または他の同位元素といった放射性同位元素に合わせて調整することができる。このような同位元素は、既知の崩壊生成物と共に、既知の半減期を有し、校正の基準に用いることができる。校正は、通常、放射線安全管理者の資格のある者または正確に校正をすることが保証される代理人によって行われる。その工程は、正確に測定された間隔で、既知の放射能の放射線源にセンサを露出することを含んでいる。測定値は、各間隔でその源により実際に放出される放射線量に比較される。反応が校正されたものと考慮されるためには、その間隔において、その源から実際に放出される放射線量の既知のパーセンテージ（例えば、１０％）内でなければならない。いくつかの実施形態では、センサは、その検出が質的であって、量的でない場合には、場所または構成（設定）によっては校正されなくてよい。
【００２３】
センサの感度は、１分間のカウント数（CPM）、または線量率、１時間当たりの放射線吸収線量（Rad/hr）またはミリラド（mRad/hr）といった放射線レベルで測定することができる。光検出器１０５は、エネルギーまたは粒子の何れかの組合せを検出してもよい。例えば、センサは、高エネルギー（短波長）光子（例えば、ガンマ線およびエックス線）を含んだ電磁放射線を検出するように構成してもよい。光検出器１０５は、アルファ線およびベータ線のような高エネルギー粒子を含んだ粒子を検出してもよい。光検出器１０５を、電磁放射線および粒子の両方を検出するために用いてもよい。加えて、光検出器１０５を、水や食料内で放射線を検出するために用いてもよい。光検出器１０５を、（飛行機上のような）高い標高、中間の標高、低い標高、および地下で用いてもよい。また、光検出器１０５を、エックス線またはコンピュータ断層撮像（ＣＴ）走査画像化といった医学の撮像法における検出器として用いてもよい。光検出器１０５は、放射線シールドとしての役割を果たす金属製のエンクロージャに収容することができる。例えば、そのシールドが、電子回路を放射線障害から保護することができる。金属製のエンクロージャは、アルミニウム、錫、または他の類似物質から作ることができる。光検出器１０５は、波長、計数、強度、または類似の測定を出力してもよく、また、放射線または粒子の種類を特定してもよい。ある実施形態において、増幅器１３０は、光検出器１０５からの信号の電力を増加させる。プロセッサ１４０は、増幅された信号を受ける。他の実施形態では、増幅器１３０は、信号対ノイズ（Ｓ／Ｎ）比を増加するために、光検出器１０５またはプロセッサ１４０を備えることができる。光検出器１０５は、また、増幅せずにプロセッサ１４０に直接出力してもよい。放射線検出システム１００は、アナログ・デジタル変換器（図示せず）を備えてもよい。例えば、プロセッサ１４０は、追加の信号処理が行うため、またはデジタル伝送のために信号を準備するために、アナログ信号を受けて、信号をデジタル信号に変換してもよい。
【００２４】
放射線検出システム１００は、光検出器１０５に電圧を印加するために、電力源１２０および電力変換モジュール１１０を備えてもよい。ある側面では、光検出器１０５は、定格電圧を有する電圧出力を備えてもよい。定格電圧は、最大負荷電圧でもよい。電力源１２０および電力変換モジュール１１０は、定格電圧を超える電圧を電圧出力に印加するように構成してもよい。入力電圧の一部は、その電圧に反応して充電するコンデンサのように機能する光検出器にわたって印加される。電離放射線は、入射放射線のエネルギーに相当する量の電流が流れる原因となる。
【００２５】
入力電圧が定格電圧を超えて上昇する時のような印加電圧の増加は、光検出器１０５の静電容量を減少させる。この静電容量の減少は、光検出器１０５のノイズを減少させ、光検出器１０５の信号対ノイズ比（ＳＮＲ）を増加させる。低いＳＮＲでは、光検出器１０５は、増幅器１３０と共に用いられていようがなかろうが、低エネルギーのイオン化した放射線のパルスを検出することができ、よって、その感度が増加する。例えば、光検出器１０５が、５０〜６０ボルトの定格電圧とすることができ、電力源１２０が、７０〜９０ボルトの電圧を印加することができる。例えば、定格電圧を、５０〜６０ボルトの範囲より低くまたは高くしてもよい。加えて、電力源１２０および電力変換モジュール１１０を、７０〜９０ボルトの範囲より低いまたは高い電圧を印加するように構成してもよい。他の実施形態において、電力変換モジュール１１０を電力源１２０が備えてもよいし、電力源１２０を電力変換モジュール１１０を持たないで光検出器１０５に電圧を印加するように構成してもよい。
【００２６】
印加電圧を増加させて、光検出器１０５の静電容量を減少させると、センサの感度も増加する。これは、時間分解能、すなわち、個々の放射線イベントを改善する効果を有する。
【００２７】
図２に、図１に例示する放射線センサシステムに用いられる放射線プロセッサ１４０の例を示す。例示するプロセッサ１４０は、プロセッサ１４０、電源スイッチ２００、サウンド・インジケータ２１０、ビジュアル・インジケータ２２０、およびデータ・インタフェース２３０を備える。電源スイッチ２００は、プロセッサ１４０を有効または無効にする。システムのユーザは、放射線検出システム１００を起動または停止するために電源スイッチ２００を使用してもよい。電源スイッチ２００は、また、システムのその他の要素を有効または無効にするために、システムのその他の要素（例えば、電力源１２０）に接続してもよい。プロセッサ１４０は、放射線の係数に基づいて、サウンド・インジケータ２１０、ビジュアル・インジケータ２２０の何れかまたは両方を起動する。例えば、プロセッサ１４０は、放射線のレベルがしきい値を超えた時に、サウンド・インジケータ２１０またはビジュアル・インジケータ２２０を起動してもよい。プロセッサ１４０は、放射線レベルを反映するためにサウンド・インジケータ２１０またはビジュアル・インジケータ２２０を起動してもよい。よって、サウンド・インジケータ２１０またはビジュアル・インジケータ２２０からの出力レベルは、放射線レベルに対応させてもよい。このような実施形態において、放射線検出システム１００は、視覚的注意を検査される環境に集中することを要求されるユーザを補助し、警告する場所において、線量計としての役割を果たすことができる。
【００２８】
ある実施形態において、放射線検出システム１００は、また、遠隔データ収集受信装置のような外部デバイスにデータを送信してもよい。収集受信装置は、放射線レベルのマップを作成するために、別の場所にある複数の放射線検出システム１００からデータを受信してもよい。
【００２９】
他の実施形態において、ビジュアル・インジケータ２２０は、プロセッサ１４０が起動している時を示すオン／オフライトであってもよい。サウンド・インジケータ２１０は、例えば、アラーム、ブザー、またはスピーカーとすることができる。ビジュアル・インジケータ２２０は、例えば、発光ダイオード（ＬＥＤ）のようなライト、目盛り、またはデジタル表示とすることができる。
【００３０】
プロセッサ１４０は、データ・インターフェース２３０に接続してもよい。データ出力のため、プロセッサ１４０は、未処理のまたは処理されたデータを出力してもよい。未処理のまたは処理されたデータは、ビジュアル・インジケータ２２０のようなデバイスに含まれるディスプレイに送信してもよい。ディスプレイは、未処理のまたは処理されたデータを表示し、または他の方法で表してもよい（図５を参照）。プロセッサ１４０は、また、データ・インターフェース２３０を介して、コンフィギュレーションデータの入力を受けるようにしてもよい。このコンフィギュレーションデータは、サウンド・インジケータ２１０およびビジュアル・インジケータ２２０の出力および制御、または他の出力といったプロセッサの様々な側面を設定するために用いられる。放射線検出システム１００は、別のユーザデバイス、またはスタンドアローンデバイスで動作するように設定される。
【００３１】
データ・インターフェース２３０は、無線データ通信インターフェース（図示せず）に接続してもよい。加えて、データ・インターフェース２３０は、無線データ通信インターフェースを含んでもよい。ある実施形態では、放射線検出システム１００は、放射線のレベルに基づいて、無線データ通信インターフェースを介してデータを送信してもよい。例えば、放射線検出システム１００は、放射線のレベルに基づいて、サーバまたはデータベースといったネットワークデバイスへ、電子メールまたはデータグラムのようなメッセージを送信するように構成してもよい。電子メールまたはデータグラムメッセージは、放射線レベルがしきい値を超えるまたは上昇していることを、ユーザに警告することができる。放射線検出システム１００は、１日毎または１日に複数回といった所定の間隔でメッセージを送信するように構成してもよい。放射線レベルデータは、放射線レベルデータが位置に関連付けられるように、全地球位置発見システム（ＧＰＳ）によって提供されるような位置を含むことができる。ネットワークデバイスにデータが送信された時に、データは記憶され、またはリアルタイムで使用することができる。リアルタイムデータおよび履歴データの任意の組合せを用いて、複数の放射線検出システム１００からのデータに基づき、放射線レベルおよび他の光検出器データについての局所の、地域の、または世界のマップを作成することができる。さらに、ある実施形態において、放射線検出システム１００は、ネットワークデバイスへ継続的にデータを送信し、他のデバイスからデータを受信するように構成される。無線データ通信インターフェースは、他の無線データ通信インターフェースを用いてよいが、例えば、IEEE 802.11インターフェースを含むWi-Fiインターフェースであってもよい。
【００３２】
図３に、図１に示す放射線検出システム１００を支持する筐体３００の例を示す。筐体３００は、留め具または他の適切な取り付け要素を組合せて使用して、放射線検出システム１００に接続してもよい。筐体３００は、ＡＣ壁ソケットの中に挿入されるＡＣ電源プラグ３１０を含んでもよい。ＡＣ電源プラグ３１０は、また、例えば、不使用時または放射線検出システム１００を無効にするために、ＡＣ壁ソケットから取り外してもよい。さらに、ある実施形態において、ＡＣ電源プラグは、検出システムの外部の電力源１２０に接続してもよく、電力源１２０を電源スイッチ２００に接続するようにしてもよい。ＡＣ電源プラグ３１０がＡＣ壁ソケットに接続され、電源スイッチ２００が作動モードである時、放射線検出システム１００に電圧が印加される。
【００３３】
図４に、図１に例示する放射線検出システム１００に用いられる出力選択方法のフローチャート４００を示す。工程は、放射線データを受けることにより開始する（ブロック４０５）。放射線データは、光検出器１０５の出力から発生し、または、光検出器１０５からの出力を基礎としてプロセッサ１４０によって処理されたデータとすることができる。つぎに、ブロック４１０の工程において、プロセッサ内に含めうるメモリに、放射線レベルデータの記録が維持される。つぎに、ブロック４２０において、ユーザが設定した平均値放射線レベルが算出される。ユーザが設定した平均値は、ユーザが設定した時間窓にわたる移動平均としてもよく、特に適用の必要性があれば時間窓を調整してもよい。ユーザは、１０秒の窓または１分の窓についての平均を算出するように工程を設定してもよい。他の時間窓は、平均値を算出するためにユーザが定義したものでもよい。また、ユーザ定義の時間窓に基づいて、ユーザが設定した放射線レベルの平均値を算出するような工程としてもよい。つぎに、ブロック４３０の工程において、カルマンフィルタを用いて放射線レベルを算出し、また、移動平均を算出する。カルマンフィルタは、統計学的に放射線レベルの最適推定値を生み出すために、ノイズが入った入力データの流れに対して再帰演算を行うアルゴリズムである。つぎに、４４０において、移動平均がしきい値を外れているか否かを判定する。しきい値の範囲は、放射線検出システム１００の校正に基づき、ユーザが設定してもよく、デフォルト値の範囲であってもよい。例として、しきい値範囲は、カルマンフィルタ値が信頼できない時に、移動平均を出力してもよい 。もし、移動平均値が、しきい値範囲を外れていれば、工程は、カルマンフィルタ値（ブロック４５０）を選択する；そうでなければ、工程は、移動平均値を選択する（ブロック４６０）。工程は、その後、選択したカルマンフィルタまたは移動平均の値を出力し、ユーザが設定した平均値も出力することができる。当業者は、開示した様々な実施形態によって、カルマンフィルタが変形できることを理解するだろう。例えば、カルマンフィルタは、値を予測し、予測された値の不確かさを見積もり、予測値および測定値の加重平均を演算することによって、放射線測定の真の価値およびそれらの関連した計算値を見積もることができる。最大の加重は、最小の不確かさの値に与えられる。他の放射線計測の計算値は、適切な何れかの方法を用いて決定してもよい。その工程は、放射線計測の瞬間的な値が、計算および出力されるように構成してもよい。
【００３４】
図５に、放射線検出システム１００のためのユーザインターフェース例を示す。図１のプロセッサは、放射線データを表示するためのユーザインターフェース５００、５１０、５２０を用いて、ユーザデバイスにデータを送信するように構成してもよい。典型的なユーザインターフェース５００、５１０、５２０は、放射線の計測およびデータを表示するための図式的なユーザインターフェース要素を備えている。第１のユーザインターフェース５００は、表示計測器５０２およびオン／オフトグルスイッチ５０４を備えている。表示計測器５０２は、放射線計測を、３つの放射線計測の個別の領域で、目盛りのレイアウトに表示してもよい。第２のユーザインターフェース５１０は、デジタル計測器５１２、スコープ計測器５１４、およびオン／オフスイッチ５１６を備えている。オン／オフスイッチ５１６（例えば、つまみ）は、デジタル計測器５１２およびスコープ計測器５１４を有効または無効にする。デジタル計測器５１２は、実行中の放射線計測および傾向を示すためのスコープ計測器５１４と共に、使い勝手の良さのために、デジタルフォーマットで放射線計測を示す。第３のユーザインターフェース５２０は、第１の目盛り計測器５２２および第２の目盛り計測器５２４を備えている。オン／オフスイッチ５２６は、第１の目盛り計測器５２２および第２の目盛り計測器５２４を有効または無効にする。
第２の目盛り計測器５２４が、放射線計測を秒当たりカウント（CPS）で示す一方で、第１の目盛り計測器５２２が、放射線計測を、例えば、マイクロシーベルト毎時（uSv/hr）で示してもよい。ユーザインターフェースは、開示の様々な実施形態に応じて変形してもよい。
【００３５】
図６は、放射線測定値と共に局所エリアマップを示す図である。番号マーカー６１０、６２０、６３０、６４０、６５０は、放射線の計測レベルを示している。この番号マーカー６１０、６２０、６３０、６４０、６５０は、絶対値平均放射線計測または実測値を選択的に示す。ある実施形態において、番号マーカー６１０が現在の位置における測定値であるのに対し、番号マーカー６２０、６３０、６４０、６５０は、異なる位置における過去の測定値に相当する。番号マーカー６１０が現在の位置における測定値であるのに対し、番号マーカー６２０、６３０、６４０、６５０もまた、異なる位置に居る他のユーザの現在の測定値に相当してもよい。番号マーカーは、過去または現在の放射線測定値の組合せであってもよい。当業者であれば、局所エリアマップが説明するためだけに用いられており、実施形態がこれに限定されないことを理解するだろう。
【００３６】
図７は、ある実施形態に従って、放射線測定値と共に世界エリアマップを示す図である。マーカー７１０、７２０は、示された位置における放射線計測レベルを示してもよい。マーカー７１０、７２０は、絶対値平均放射線計測または実測値を示してもよい。ある側面において、番号マーカー７１０が現在の位置における測定値であるのに対し、番号マーカー７２０は、異なる位置における過去の測定値に相当してもよい。他の側面において、番号マーカー７１０が現在の位置における測定値であるのに対し、番号マーカー７２０は、異なる位置に居る他のユーザの現在の測定値に相当してもよい。番号マーカーは、過去または現在の放射線測定値の組合せであってもよい。当業者であれば、局所エリアマップが説明するためだけに用いられており、実施形態がこれに限定されないことを理解するだろう。
【００３７】
開示の様々な側面に基づいて、要素、または要素の何れかの部分、要素の何れかの組合せは、１以上のプロセッサを備える“処理システム”で実行してもよい。プロセッサの例としては、マイクロプロセッサ、マイクロコントローラ、デジタル・シグナル・プロセッサ（DSP）、フィールド・プログラマブル・ゲート・アレイ（FPGA）、プログラム可能論理回路（PLD）、状態機械、論理ゲート、ディスクリートハードウェア回路、およびこの開示を通して記載された様々な機能を実行するように構成された他の適切なハードウェアが含まれる。処理システムの１以上のプロセッサは、ソフトウェアを実行してもよい。ソフトウェア、ファームウェア、ミドルウェア、マイクロコード、ハードウェア記述言語、その他の方法で呼ばれているかどうかにかかわらず、ソフトウェアは、命令、命令セット、コード、コードセグメント、プログラムコード、プログラム、サブプログラム、ソフトウェアモジュール、アプリケーション、ソフトウェア・アプリケーション、ソフトウェア・パッケージ、オブジェクト、ルーチン、サブルーチン、実行ファイル、実行スレッド、プロシージャ、関数等を意味するように広く解釈されるべきである。ソフトウェアは、コンピュータ可読の記録媒体に定着させてもよい。コンピュータ可読の記録媒体は、不揮発性のコンピュータ可読の記録媒体であってもよい。不揮発性のコンピュータ可読の記録媒体には、例えば、磁気記憶装置（ハードディスク、フロッピーディスク（商標）、磁気ストリップなど）、光ディスク（コンパクトディスク（CD）など）、デジタル多用途ディスク（DVD）、スマートカード、フラッシュメモリーデバイス（カード、スティック、キードライブなど）、ランダム・アクセス・メモリ（RAM）、ロム（ROM）、プログラマブルロム（PROM）、消去可能プログラマブルロム（EPROM）、電気的消去可能プログラマブルロム（EEPROM）、レジスタ、リムーバブル・ディスク、およびコンピュータによってアクセスされ、読み出されるソフトウェアおよび／または命令を記憶するための他の適切な媒体が含まれる。また、コンピュータ可読の記録媒体には、例えば、搬送波、伝送回線、およびコンピュータによってアクセスされ、読み出されるソフトウェアおよび／または命令を送信するための他の適切な媒体が含まれる。コンピュータ可読の記録媒体は、処理システム内、処理システムの外部、または処理システムを含んだ多数の実体に分散して定着させてもよい。コンピュータ可読の記録媒体は、コンピュータ・プログラム製品内に具現化してもよい。例として、コンピュータ・プログラム製品は、包装材の中にコンピュータ可読の記録媒体を含んでもよい。当業者であれば、この開示を通して示された特定のアプリケーションに応じて記載された機能および全体システムに制約が課された全体デザインを実装するのが最適かを理解するだろう。
【００３８】
方法や処理における工程の個々の順序や階層は、例示的に示したものである。設計時の選択により、方法における工程の個々の順序や階層は変更可能である。
【００３９】
前述の記載は、当業者がここに記載された様々な側面を実施するために提供されている。これらの側面に対する修正は、当業者に容易に理解され、ここで定義された包括的な原理は、他の側面に適用することができる。よって、クレームは、ここに示された側面に限定することを意図したものではなく、まさに、クレームの文言に一致するすべての範囲を許容する。ここで、単数で言及された要素は、そのように明確に述べられていない限り“１つおよび１つだけ”ではなく、むしろ、“１つ以上”であることを意味する。この開示を通して記載された様々な側面における構造的および機能的な要素の全ての均等物は、当業者に現在または将来知られる限り、ここで言及することにより明白に取り入れられ、クレームに包含されることが表明される。さらに、ここで何ら開示されていないものは、そのような開示がクレームにおいて明示的に列挙されているか否かにかかわらず、公衆に提供することを意図している。要素が表現“するための手段”を用いて、方法クレームの場合は、要素が表現“するためのステップ”を用いて、明示的に列挙されていない限り、いずれのクレーム要素にも米国特許法１１２条、第６段落の解釈はされない。
【図１】
2013152226.tif 000003
【図２】
2013152226.tif 000004
【図３】
2013152226.tif 000005
【図４】
2013152226.tif 000006
【図５】
2013152226.tif 000007
【図６】
2013152226.tif 000008
【図７】
2013152226.tif 000009
【外国語明細書】
2013152226000001.pdf